(57)【要約】【課題】  ゴム被覆が十分に施された撚り線を形成することが可能な撚り線機を提供することにある。【解決手段】  撚り線機２２において、ボビン１４Ａ〜Ｃから引き出された複数本の線材１８Ａ〜Ｃは、ボビン１４Ａ〜Ｃと線材引出方向（Ｘ方向）に離間した位置に配置された回転体３０の回転によってその線材引出方向（Ｘ方向）を回転軸とした回転力が加えられて撚り線となる。従って、複数本の線材１８Ａ〜Ｃの撚り点２６よりもボビン１４Ａ〜Ｃでは、複数本の線材１８Ａ〜Ｃは回転しない。これにより、ゴム被覆部２８において複数本の線材１８Ａ〜Ｃに未加硫ゴム８８を被覆する際に、複数本の線材１８Ａ〜Ｃが未加硫ゴム中を横切る動きをしないので、複数本の線材１８Ａ〜Ｃの間に十分に未加硫ゴム８８が充填され、また、各線材１８Ａ〜Ｃの表面にも未加硫ゴム８８が十分に付着される。【選択図】  図１
2006291424.tif 000002
【特許請求の範囲】
【請求項１】
複数本の線材を保有する線材保有手段から前記複数本の線材を引き出す線材引出手段と、
前記線材保有手段と前記複数本の線材の線材引出方向に離間した位置に配置され、線材引出方向を回転軸として回転することにより前記複数本の線材に線材引出方向を回転軸とした回転力を加えて前記複数本の線材を撚って撚り線を形成する撚り線形成手段と、
前記複数の線材の撚り点よりも前記線材保有手段側に位置する複数本の線材及び前記撚り点よりも前記撚り線回転手段側に位置する撚り線の少なくとも一方に被覆材を被覆する被覆手段と、を備えたことを特徴とする撚り線機。
【請求項２】
前記線材引出手段は、前記撚り線形成手段に設けられていることを特徴とする請求項１に記載の撚り線機。
【請求項３】
前記被覆手段よりも線材引出方向には、前記撚り線の表面に被覆された被覆材を平滑化する平滑化手段が設けられていることを特徴とする請求項１又は請求項２に記載の撚り線機。
【請求項４】
複数本の線材を保有する線材保有手段から前記複数本の線材を引き出すと共に、前記線材保有手段と前記複数本の線材の線材引出方向に離間した位置で前記複数本の線材に線材引出方向を回転軸とした回転力を加えて前記複数本の線材を撚って撚り線を形成する一方で、前記複数の線材の撚り点よりも前記線材保有手段側に位置する複数本の線材及び前記撚り点よりも前記線材保有手段と反対側に位置する撚り線の少なくとも一方に被覆材を被覆することを特徴とする撚り線の被覆方法。
【請求項５】
前記撚り線の被覆方法は、前記複数の線材の撚り点よりも前記線材保有手段側に位置する複数本の線材及び前記撚り点よりも前記線材保有手段と反対側に位置する撚り線の少なくとも一方に被覆材を被覆した後に、前記撚り線の表面に被覆された被覆材を平滑化することを特徴とする請求項４に記載の撚り線の被覆方法。
【発明の詳細な説明】
【技術分野】
【０００１】
本発明は、撚り線機及び撚り線の被覆方法に係り、特に撚り線に被覆を施すようにした撚り線機及び撚り線の被覆方法に関する。
【背景技術】
【０００２】
従来から、撚り線に被覆を施すようにした撚り線機及び撚り線の被覆方法が知られている（例えば、特許文献１参照）。
【０００３】
以下、この種の撚り線機及び撚り線の被覆方法について、車両用の空気入りタイヤに用いられる撚り合わせゴム被覆スチールコードの製造過程を例に説明する。
【０００４】
特許文献１には、コード製造装置の例が記されている。このコード製造装置は、複数のスチールコードを撚り合わせると共にこれにゴム被覆を施して撚り合わせゴム被覆スチールコードを形成するものである。
【０００５】
コード製造装置には、チューブラ型撚線機、プリフォーマ、ゴム押出機、張力付与装置が設けられている。
【０００６】
チューブラ型撚線機は、回転バレルと、この回転バレルを回転駆動する電動機を有する。回転バレルには、各々がスチールコードを巻装した３つのボビンが配置されている。
【０００７】
回転バレルの前端面には、プリフォーマが回転バレルと一体に回転するように設けられており、プリフォーマは、各スチールコード毎に所定ピッチの螺旋の癖付けをし、撚り合わせを容易にする。
【０００８】
ゴム押出機は、スチールコードを撚り合わせながらゴムを押出する押出型ヘッドと、このヘッドに未加硫ゴムを加圧供給する押出機本体を有する。
【０００９】
また、押出型ヘッドは、押出型本体と、撚り維持具と、撚り合わせダイスと、押出室とで構成されている。
【００１０】
張力付与装置は、巻き取りドラムを所定速度で回転させ、押出型ヘッドから繰り出される撚り合わせゴム被覆コードを巻き取り、プリフォーマ及び押出型ヘッドを通過するスチールコードの各々に所定の引っ張りテンションを付与する。
【００１１】
そして、上記構成からなる特許文献１に記載のコード製造装置において、張力付与装置によって一定の巻き取り張力が付与されると、回転バレルの３つのボビンからスチールコードが引き出される。
【００１２】
各ボビンから引き出されるスチールコードは、回転バレルの軸心から半径方向外方に導かれ、そこから回転バレルの長手方向に案内され、回転バレルの前端面に開口する送出口からプリフォーマへ送出される。
【００１３】
続いて、プリフォーマを通過した３本のスチールコードは、回転バレルの回転軸線に向かって集合しながらゴム押出機の押出型ヘッド内へ導入される。
【００１４】
押出型ヘッド内へ導入される３本のスチールコードは、撚り維持具の３本の分離通過孔を通過し、続いて分離通過溝にガイドされてゴム注入部に導かれ、そこからダイスを通過する。
【００１５】
このとき、押出室では、未加硫ゴムが圧送充填された雰囲気が形成され、この雰囲気の中でスチールコードの撚り合わせが行われる。つまり、未加硫ゴムが圧送充填された雰囲気中を、複数のスチールコードがその送出方向を回転軸として回転することにより撚り線が形成される。
【００１６】
そして、ゴム注入部を撚り合わせされながら通過する３本のスチールコードからなる撚り線の軸心の空隙部に未加硫ゴムがスチールコードにより巻き込まれながら充填され、これと同時に撚り合わされた撚り線の外周面にも未加硫ゴムが被覆されて撚り合わせゴム被覆スチールコードが形成されるとしている。
【特許文献１】特開２００４−２７７９２３公報（図１−図５）
【発明の開示】
【発明が解決しようとする課題】
【００１７】
しかしながら、特許文献１に記載の例では、上述の如く、未加硫ゴムが圧送充填された雰囲気中を、複数のスチールコードがその送出方向を回転軸として回転するようになっている。
【００１８】
従って、複数のスチールコードが圧送充填された未加硫ゴムを横切るため、スチールコードの表面にゴムが付着し難く、また、複数のスチールコード間にゴムが入り難い（充填され難い）という不都合がある。これにより、撚り線に対するゴム被覆が不充分となる虞がある。
【００１９】
ここで、スチールコードの表面に対してゴム被覆が充分に行われるようにするためには、特許文献１に記載の構成において、複数のスチールコードが撚り合わされて撚り線となった後に、未加硫ゴムが圧送充填された雰囲気中に撚り線を通過させて、この撚り線にゴム被覆を施すことも考えられる。
【００２０】
ところが、特許文献１に記載の例では、複数のスチールコードが撚り合わされて撚り線となった後には、撚り線が回転せずに真っ直ぐに引き出される。
【００２１】
従って、未加硫ゴムが圧送充填された雰囲気中を撚り線が回転せずに真っ直ぐに通過しても、撚り線の表面に形成された螺旋凹凸部分の凹部にゴムが十分に入り込まず、結果として撚り線に対するゴム被覆が不充分となる虞がある。
【００２２】
なお、上記不具合を解決するために、撚り線機が大型化することは望ましくなく、上記不具合を解決するための撚り線機を構成する場合には、撚り線機がコンパクトであることが望ましい。
【００２３】
本発明は、上記事情を鑑みてなされたものであり、その目的は、ゴム被覆が十分に施された撚り線を形成することが可能な撚り線機及び撚り線の被覆方法を提供することにある。
【００２４】
また、本発明の他の目的は、コンパクトな撚り線機を提供することにある。
【課題を解決するための手段】
【００２５】
上記課題を解決するために、請求項１に記載の撚り線機は、複数本の線材を保有する線材保有手段から前記複数本の線材を引き出す線材引出手段と、前記線材保有手段と前記複数本の線材の線材引出方向に離間した位置に配置され、線材引出方向を回転軸として回転することにより前記複数本の線材に線材引出方向を回転軸とした回転力を加えて前記複数本の線材を撚って撚り線を形成する撚り線形成手段と、前記複数の線材の撚り点よりも前記線材保有手段側に位置する複数本の線材及び前記撚り点よりも前記撚り線回転手段側に位置する撚り線の少なくとも一方に被覆材を被覆する被覆手段と、を備えたことを特徴とする。
【００２６】
次に、請求項１に記載の撚り線機の作用について説明する。
【００２７】
請求項１に記載の撚り線機では、線材引出手段によって、線材保有手段から複数本の線材が引き出される。そして、この線材保有手段から引き出された複数本の線材には、線材保有手段と複数本の線材の線材引出方向に離間した位置に配置された撚り線形成手段の回転によって、その線材引出方向を回転軸とした回転力が加えられる。
【００２８】
これにより、複数本の線材が撚られて撚り線が形成される。このとき、被覆手段は、複数の線材の撚り点よりも線材保有手段側に位置する複数本の線材及び撚り点よりも撚り線回転手段側に位置する撚り線の少なくとも一方に被覆材を被覆する。これにより、被覆された撚り線が形成される。
【００２９】
ここで、請求項１に記載の撚り線機において、線材保有手段から引き出された複数本の線材は、線材保有手段と複数本の線材の線材引出方向に離間した位置に配置された撚り線形成手段の回転によって線材引出方向を回転軸とした回転力が加えられて撚り線となる。
【００３０】
従って、複数本の線材の撚り点よりも線材保有手段側では、複数本の線材は回転せずに、複数本の線材の撚り点よりも撚り線形成手段側では、撚り線が回転する。
【００３１】
このように、請求項１に記載の撚り線機では、複数本の線材の撚り点よりも線材保有手段側では、複数本の線材は回転しない。
【００３２】
従って、この複数本の線材に被覆手段によって被覆材を被覆する場合には、複数本の線材が被覆材中を横切る動きをしないので、複数本の線材の間に十分に被覆材が充填され、また、各線材の表面にも被覆材が十分に付着される。
【００３３】
これにより、被覆が十分に施された撚り線を形成することが可能となる。
【００３４】
また、請求項１に記載の撚り線機では、複数本の線材の撚り点よりも撚り線形成手段側では、撚り線が回転する。
【００３５】
従って、この撚り線に被覆手段によって被覆材を被覆する場合には、被覆材中を撚り線が回転するので、ねじ作用によって、撚り線の表面に形成された螺旋凹凸部分の凹部に被覆材が十分に入り込む。
【００３６】
これにより、被覆が十分に施された撚り線を形成することが可能となる。
【００３７】
このとき、撚り点よりも線材保有手段側に位置する複数本の線材に被覆を施すと共に、この被覆された複数本の線材が撚り合わされて撚り線となった後にもこの撚り線に対して連続的に被覆材を被覆するようにすると、被覆が十分に施された撚り線を確実に形成することが可能となる。
【００３８】
請求項２に記載の撚り線機は、請求項１に記載の撚り線機において、前記線材引出手段は、前記撚り線形成手段に設けられていることを特徴とする。
【００３９】
次に、請求項２に記載の撚り線機の作用について説明する。
【００４０】
請求項２に記載の撚り線機では、線材引出手段が、撚り線形成手段に設けられている。従って、撚り線形成手段と線材引出手段を一体化できるので、撚り線機をコンパクトにすることができる。
【００４１】
請求項３に記載の撚り線機は、請求項１又は請求項２に記載の撚り線機において、前記被覆手段よりも線材引出方向には、前記撚り線の表面に被覆された被覆材を平滑化する平滑化手段が設けられていることを特徴とする。
【００４２】
次に、請求項３に記載の撚り線機の作用について説明する。
【００４３】
請求項３に記載の撚り線機では、被覆手段よりも線材引出方向に、撚り線の表面に被覆された被覆材を平滑化する平滑化手段が設けられている。
【００４４】
従って、被覆手段によって撚り線の表面に被覆材が被覆された場合でも、撚り線の表面に被覆された被覆材を平滑化手段によって平滑化することができる。
【００４５】
これにより、撚り線の表面に被覆された被覆材の凹凸や被覆ムラなどを修復できるので、被覆が十分に施された撚り線を形成することが可能となる。
【００４６】
請求項４に記載の撚り線の被覆方法は、複数本の線材を保有する線材保有手段から前記複数本の線材を引き出すと共に、前記線材保有手段と前記複数本の線材の線材引出方向に離間した位置で前記複数本の線材に線材引出方向を回転軸とした回転力を加えて前記複数本の線材を撚って撚り線を形成する一方で、前記複数の線材の撚り点よりも前記線材保有手段側に位置する複数本の線材及び前記撚り点よりも前記線材保有手段と反対側に位置する撚り線の少なくとも一方に被覆材を被覆することを特徴とする。
【００４７】
次に、請求項４に記載の撚り線の被覆方法の作用について説明する。
【００４８】
請求項４に記載の撚り線の被覆方法では、先ず、複数本の線材を保有する線材保有手段から複数本の線材を引き出すと共に、線材保有手段と複数本の線材の線材引出方向に離間した位置で複数本の線材に線材引出方向を回転軸とした回転力を加えて複数本の線材を撚って撚り線を形成する。
【００４９】
そして、請求項４に記載の撚り線の被覆方法では、複数の線材の撚り点よりも線材保有手段側に位置する複数本の線材及び撚り点よりも線材保有手段と反対側に位置する撚り線の少なくとも一方に被覆材を被覆する。
【００５０】
ここで、請求項４に記載の撚り線の被覆方法において、線材保有手段から引き出された複数本の線材は、線材保有手段と複数本の線材の線材引出方向に離間した位置で線材引出方向を回転軸とした回転力が加えられて撚り線となる。
【００５１】
従って、複数本の線材の撚り点よりも線材保有手段側では、複数本の線材は回転せずに、複数本の線材の撚り点よりも線材保有手段と反対側では、撚り線が回転する。
【００５２】
このように、請求項４に記載の撚り線の被覆方法では、複数本の線材の撚り点よりも線材保有手段側では、複数本の線材は回転しない。
【００５３】
従って、この複数本の線材に被覆材を被覆する場合には、複数本の線材が被覆材中を横切る動きをしないので、複数本の線材の間に十分に被覆材が充填され、また、各線材の表面にも被覆材が十分に付着される。
【００５４】
これにより、被覆が十分に施された撚り線を形成することが可能となる。
【００５５】
また、請求項４に記載の撚り線の被覆方法では、複数本の線材の撚り点よりも線材保有手段と反対側では、撚り線が回転する。
【００５６】
従って、この撚り線に被覆材を被覆する場合には、被覆材中を撚り線が回転するので、ねじ作用によって、撚り線の表面に形成された螺旋凹凸部分の凹部に被覆材が十分に入り込む。
【００５７】
これにより、被覆が十分に施された撚り線を形成することが可能となる。
【００５８】
このとき、撚り点よりも線材保有手段側に位置する複数本の線材に被覆を施すと共に、この被覆された複数本の線材が撚り合わされて撚り線となった後にもこの撚り線に対して連続的に被覆材を被覆するようにすると、被覆が十分に施された撚り線を確実に形成することが可能となる。
【００５９】
請求項５に記載の撚り線の被覆方法は、請求項４に記載の撚り線の被覆方法において、前記複数の線材の撚り点よりも前記線材保有手段側に位置する複数本の線材及び前記撚り点よりも前記線材保有手段と反対側に位置する撚り線の少なくとも一方に被覆材を被覆した後に、前記撚り線の表面に被覆された被覆材を平滑化することを特徴とする。
【００６０】
次に、請求項５に記載の撚り線の被覆方法の作用について説明する。
【００６１】
請求項５に記載の撚り線の被覆方法では、複数の線材の撚り点よりも線材保有手段側に位置する複数本の線材及び撚り点よりも線材保有手段と反対側に位置する撚り線の少なくとも一方に被覆材を被覆した後に、この撚り線の表面に被覆された被覆材が平滑化される。
【００６２】
これにより、撚り線の表面に被覆された被覆材の凹凸や被覆ムラなどを修復できるので、被覆が十分に施された撚り線を形成することが可能となる。
【発明の効果】
【００６３】
以上詳述したように、本発明によれば、複数本の線材に被覆材を被覆する場合には、複数本の線材が被覆材中を横切る動きをしないので、複数本の線材の間に十分に被覆材が充填され、また、各線材の表面にも被覆材が十分に付着される。これにより、被覆が十分に施された撚り線を形成することが可能となる。
【００６４】
また、撚り線に被覆材を被覆する場合には、被覆材中を撚り線が回転するので、ねじ作用によって、撚り線の表面に形成された螺旋凹凸部分の凹部に被覆材が十分に入り込む。これにより、被覆が十分に施された撚り線を形成することが可能となる。
【発明を実施するための最良の形態】
【００６５】
以下、本発明の一実施形態について、図を参照して説明する。なお、以下に説明する部材、構成、配置等は、本発明を限定するものではなく、本発明の趣旨に沿って各種改変することができることは勿論である。
［第一実施形態］
はじめに、図１，図２を参照しながら、本発明の第一実施形態に係るコード製造ライン１０の構成について説明する。
【００６６】
本実施形態に係るコード製造ライン１０は、たとえば、空気入りタイヤのベルトプライ若しくはカーカスプライ等を構成する撚り合わせゴム被覆コード２０を形成するのに好適に用いられるものである。
【００６７】
コード製造ライン１０には、線材１８Ａ〜Ｃ（例えばスチールコード）がそれぞれ巻かれている線材保有手段としての複数のボビン１４Ａ〜Ｃと、ボビン１４Ａ〜Ｃから引き出された線材１８Ａ〜Ｃのテンションを制御するテンション制御部１６Ａ〜Ｃと、撚り線機２２と、が設けられている。
【００６８】
撚り線機２２は、線材１８Ａ〜Ｃを撚って撚り線を形成すると共にこの撚り線にゴム被覆を施して撚り合わせゴム被覆コード２０を製造する引出・回転・ゴム被覆一体式の装置である。
【００６９】
この撚り線機２２は、線材１８Ａ〜Ｃにクセ（型）を付けるクセ付け部（型付け部）２４と、複数のボビン１４Ａ〜Ｃと線材引出方向（Ｘ方向）に離間した位置に配置され撚り線にゴム被覆を施す被覆手段としてのゴム被覆部２８（押出型ヘッド）と、ゴム被覆部２８よりも線材引出方向（Ｘ方向）に設けられた撚り線形成手段としての回転体３０と、回転体３０に回転力を与えると共にボビン１４Ａ〜Ｃに巻かれている線材１８Ａ〜Ｃを引き出す力を与えるモータ３４と、を備えている。
【００７０】
回転体３０は、線材引出方向線と同軸上に配置されると共に、撚り線機２２に設けられたベアリング部３６Ａ、Ｂによって回転可能に保持され、線材引出方向（Ｘ方向）を回転軸として回転することができるようになっている。
【００７１】
図１、図２に示すように、回転体３０の線材引出方向（Ｘ方向）側の部分には、回転体３０のハウジング３１から短筒状に延び出した回転駆動用軸部４０に回転駆動用プーリ４２が固定されており、回転駆動用プーリ４２と、モータ３４の軸部に取付けられた第１回転板４４とには無端ベルト４６が掛けられている。
【００７２】
回転駆動用軸部４０の回転中心には、細長筒状の引出駆動用軸部材５０が挿通されている。この引出駆動用軸部材５０は、回転体３０に設けられたベアリング部５１によって支えられている。
【００７３】
そして、回転駆動用プーリ４２の線材引出方向（Ｘ方向）側には、引出駆動用軸部材５０に固定された引出駆動用プーリ５２が設けられており、引出駆動用プーリ５２と、モータ３４の軸部に取付けられた第２回転板５４とには無端ベルト５６が掛けられている。
【００７４】
ハウジング３１内には、撚り合わせゴム被覆コード２０を引き出す線材引出手段としての引出機構５８が設けられている。引出機構５８は、引出駆動用軸部材５０と同軸上に固定された第１ギア６０と、第１ギア６０と噛み合う第２ギア６２と、を有する。
【００７５】
第２ギア６２の回転中心には小径の小ギア部６４が設けられている。また、引出機構５８は、撚り合わせゴム被覆コード２０が数回巻かれる巻回部６６を有すると共に小ギア部６４と噛み合う大ギア部６７を有する多段巻きキャプスタン６８と、多段巻きキャプスタン６８の巻回部６６に当接して撚り合わせゴム被覆コード２０を巻回部６６に押し付けるピンチローラ７０と、を有する。
【００７６】
本実施形態では、多段巻きキャプスタン６８の巻回部６６及びピンチローラ７０によって撚り線の表面に被覆された未加硫ゴムを平滑化する平滑化手段が構成されている。この多段巻きキャプスタン６８の巻回部６６の表面及びピンチローラ７０の表面は、平滑面で構成されている。
【００７７】
そして、引出機構５８は、多段巻きキャプスタン６８に巻回された撚り合わせゴム被覆コード２０が更に数回巻かれる多段巻きダミープーリ７２を有する。
【００７８】
多段巻きキャプスタン６８及び多段巻きダミープーリ７２の径は、回転体３０から送り出された撚り合わせゴム被覆コード２０を使用する際に真直性の観点で支障がないように、線材１８Ａ〜Ｃの径、材質等を考慮して決定されている。
【００７９】
また、撚り線機２２には、引出駆動用軸部材５０の回転中心を挿通して、多段巻きダミープーリ７２から送り出された撚り合わせゴム被覆コード２０を回転体３０の線材引出方向へ案内するコード排出用パイプガイド７４が設けられている。
【００８０】
ここで、本実施形態では、第１回転板４４の径が第２回転板５４の径に比べて少し大きくされており、回転体３０の回転速度（撚り線の撚り速度）と、撚り合わせゴム被覆コード２０の引出速度との比が調整されている。
【００８１】
このように、本実施形態では、回転駆動用軸部４０と引出駆動用軸部材５０とを同軸上に配置しており、回転体３０に引出駆動用のモータを更に設けることに比べ、撚り線機２２の構成が簡素になっている。
【００８２】
また、本実施形態に係る撚り線機２２では、回転体３０の内部に引出機構５８が設けられており、回転体３０と引出機構５８とが一体化されている。これにより、撚り線機２２のコンパクト化が図られている。
【００８３】
そして、図１に示されるゴム被覆部２８は、押出型本体８０と、線材導入用インサート８２と、ダイス８４とで構成されている。
【００８４】
押出型本体８０には、押出室８６が形成されている。この押出室８６には、例えば不図示のスクリューポンプにより未加硫ゴム８８が圧送されて、未加硫ゴム８８が圧送充填された雰囲気が形成される。
【００８５】
線材導入用インサート８２には、線材引出方向（Ｘ方向）と平行に各線材１８Ａ〜Ｃがそれぞれ個別に挿通される不図示のインサート穴（つまりインサート穴は合計３個）が形成されている。
【００８６】
従って、クセ付け部２４を介して引き出された線材１８Ａ〜Ｃは、この線材導入用インサート８２に形成された３つのインサート穴をそれぞれ通じて押出室８６内に導かれる。
【００８７】
ダイス８４には、撚り合わせゴム被覆コード２０の断面よりも若干大きな略三つ葉形の送出穴（不図示）が形成されており、本実施形態では、この送出穴から撚り合わせゴム被覆コード２０が引き出されるようになっている。
【００８８】
次に、本発明の第一実施形態に係る撚り線機２２にて撚り線にゴム被覆を施す方法について説明する。
【００８９】
先ず、撚り線機２２を使用するには、図１，図２に示すように各線材１８Ａ〜Ｃをセットした状態で、モータ３４を所定回転数で回転させる。これにより、第１回転板４４及び第２回転板５４が回転する。
【００９０】
第１回転板４４及び第２回転板５４が回転すると、これらの回転力が無端ベルト４６，５６によって回転駆動用プーリ４２、引出駆動用プーリ５２に伝達されて、回転駆動用プーリ４２、引出駆動用プーリ５２が回転する。
【００９１】
引出駆動用プーリ５２が回転すると、この回転力が、第１ギア６０、第２ギア６２、多段巻きキャプスタン６８に順次伝達されて、第１ギア６０、第２ギア６２、多段巻きキャプスタン６８が回転する。
【００９２】
この結果、線材１８Ａ〜Ｃが所定の引出し速度でボビン１４Ａ〜Ｃから引き出される。このようにしてボビン１４Ａ〜Ｃから引き出された線材１８Ａ〜Ｃは、クセ付け部２４にてクセ付けられた後に、ゴム被覆部２８の線材導入用インサート８２に形成された３つのインサート穴を通じて押出室８６内に導かれる。
【００９３】
そして、押出室８６内に導かれた線材１８Ａ〜Ｃは、ダイス８４の送出穴に向かって集合すると共に、ダイス８４の送出穴内で撚られて撚り線となる。
【００９４】
このとき、押出室８６内に導かれた線材１８Ａ〜Ｃの間には、未加硫ゴム８８が充填され、また、線材１８Ａ〜Ｃの表面には、未加硫ゴム８８が付着される。
【００９５】
本実施形態では、このようにして、ゴム被覆部２８によって撚り線にゴム被覆が施されて撚り合わせゴム被覆コード２０が形成される。
【００９６】
そして、このようにして形成された撚り合わせゴム被覆コード２０は、ダイス８４の送出穴を介して回転体３０へと導かれ、回転体３０内においてピンチローラ７０によって多段巻きキャプスタン６８の巻回部６６に押し付けられる。
【００９７】
続いて、撚り合わせゴム被覆コード２０は、巻回部６６に巻回された後に多段巻きダミープーリ７２に更に数回巻かれ、その後、コード排出用パイプガイド７４を介して回転体３０から外部に送り出される。
【００９８】
次に、本発明の第一実施形態に係る撚り線機２２にて撚り線にゴム被覆を施す方法の作用及び効果について説明する。
【００９９】
本実施形態に係る撚り線機２２において、ボビン１４Ａ〜Ｃから引き出された複数本の線材１８Ａ〜Ｃは、ボビン１４Ａ〜Ｃと線材引出方向（Ｘ方向）に離間した位置に配置された回転体３０の回転によって線材引出方向（Ｘ方向）を回転軸とした回転力が加えられられて撚り線となる。
【０１００】
従って、本実施形態に係る撚り線機２２では、複数本の線材１８Ａ〜Ｃの撚り点２６よりもボビン１４Ａ〜Ｃ側では、複数本の線材１８Ａ〜Ｃは回転しない。
【０１０１】
これにより、本実施形態のように、この複数本の線材１８Ａ〜Ｃにゴム被覆部２８によって未加硫ゴム８８を被覆する場合には、未加硫ゴム８８が圧送充填された雰囲気中を複数本の線材１８Ａ〜Ｃが横切る動きをしないので、複数本の線材１８Ａ〜Ｃの間に十分に未加硫ゴム８８が充填され、また、各線材１８Ａ〜Ｃの表面にも未加硫ゴム８８が十分に付着される。
【０１０２】
これにより、ゴム被覆が十分に施された撚り合わせゴム被覆コード２０を形成することが可能となる。
［第二実施形態］
次に、図３を参照しながら、本発明の第二実施形態に係るコード製造ライン９０の構成について説明する。
【０１０３】
本発明の第二実施形態において、第一実施形態と異なる点は、撚り線機９２のゴム被覆部９４に設けられた線材導入用インサート９６の構成である。従って、本発明の第二実施形態において、第一実施形態と同一の構成については同一の符号を用いるとしてその説明を省略する。
【０１０４】
本発明の第二実施形態に係る撚り線機９２のゴム被覆部９４において、線材導入用インサート９６には、線材引出方向（Ｘ方向）と平行に各線材１８Ａ〜Ｃがまとめて挿通される不図示のインサート穴（つまりインサート穴は１個）が形成されている。
【０１０５】
従って、クセ付け部２４を介して引き出された線材１８Ａ〜Ｃは、線材導入用インサート９６に形成された１つのインサート穴に向かって集合すると共に、このインサート穴内で撚られて撚り線となる。
【０１０６】
そして、線材導入用インサート９６に形成されたインサート穴を介して押出室８６内に導かれた撚り線には、押出室８６においてゴム被覆が施される。
【０１０７】
つまり、押出室８６内で撚り線が回転し、この撚り線の表面に形成された螺旋凹凸部分の凹部にねじ作用によって未加硫ゴム８８が入り込むようにして撚り線全体がゴム被覆される。
【０１０８】
本実施形態では、このようにして、ゴム被覆部９４によって撚り線にゴム被覆が施されて撚り合わせゴム被覆コード２０が形成される。
【０１０９】
そして、このようにして形成された撚り合わせゴム被覆コード２０は、ダイス８４の送出穴から回転体３０へと導かれ、回転体３０内においてピンチローラ７０によって多段巻きキャプスタン６８の巻回部６６に押し付けられる。
【０１１０】
続いて、撚り合わせゴム被覆コード２０は、巻回部６６に巻回された後に多段巻きダミープーリ７２に更に数回巻かれ、その後、コード排出用パイプガイド７４を介して回転体３０から外部に送り出される。
【０１１１】
次に、本発明の第二実施形態に係る撚り線機９２にて撚り線にゴム被覆を施す方法の作用及び効果について説明する。
【０１１２】
本実施形態に係る撚り線機９２において、ボビン１４Ａ〜Ｃから引き出された複数本の線材１８Ａ〜Ｃは、ボビン１４Ａ〜Ｃと線材引出方向（Ｘ方向）に離間した位置に配置された回転体３０の回転によって線材引出方向（Ｘ方向）を回転軸とした回転力が加えられて撚り線となる。
【０１１３】
従って、本実施形態に係る撚り線機９２では、複数本の線材１８Ａ〜Ｃの撚り点２６よりも回転体３０側では、撚り線が回転する。
【０１１４】
これにより、本実施形態のように、この撚り線にゴム被覆部９４によって未加硫ゴム８８を被覆する場合には、未加硫ゴム８８が圧送充填された雰囲気中を撚り線が回転するので、ねじ作用によって、撚り線の表面に形成された螺旋凹凸部分の凹部に未加硫ゴム８８が入り込む。
【０１１５】
これにより、ゴム被覆が十分に施された撚り合わせゴム被覆コード２０を形成することが可能となる。
【０１１６】
また、本実施形態では、上述のようにして形成された撚り合わせゴム被覆コード２０は、回転体３０内に導かれ、ピンチローラ７０によって多段巻きキャプスタン６８の巻回部６６に押し付けられる。
【０１１７】
従って、撚り合わせゴム被覆コード２０がピンチローラ７０によって多段巻きキャプスタン６８の巻回部６６に押し付けられることにより、ゴム被覆コード２０の撚り線の表面に被覆された未加硫ゴム８８が平滑化される。
【０１１８】
これにより、撚り線の表面に被覆された未加硫ゴム８８の凹凸や被覆ムラなどを修復できるので、ゴム被覆が十分に施されたゴム被覆コード２０を形成することが可能となる。
［第三実施形態］
次に、図４を参照しながら、本発明の第三実施形態に係るコード製造ライン１００について説明する。
【０１１９】
本発明の第三実施形態において、第一実施形態及び第二実施形態と異なる点は、撚り線機１０２のゴム被覆部１０４に設けられた押出型本体１０８の構成である。従って、本発明の第三実施形態において、第一実施形態及び第二実施形態と同一の構成については同一の符号を用いるとしてその説明を省略する。
【０１２０】
本発明の第三実施形態に係る撚り線機１０２のゴム被覆部１０４において、押出型本体１０８には、線材導入用インサート８２と、ダイス８４と、中間ダイス１１０が設けられている。また、この押出型本体１０８には、第一押出室１１２と第二押出室１１４が形成されている。
【０１２１】
この第一押出室１１２及び第二押出室１１４には、例えば不図示のスクリューポンプにより未加硫ゴム８８が圧送されて、未加硫ゴム８８が圧送充填された雰囲気が形成される。
【０１２２】
そして、クセ付け部２４を介して引き出された線材１８Ａ〜Ｃは、線材導入用インサート８２に形成された３つのインサート穴を通じて第一押出室１１２内に導かれる。
【０１２３】
この押出室８６内に導かれた線材１８Ａ〜Ｃは、中間ダイス１１０の送出穴に向かって集合すると共に、中間ダイス１１０の送出穴内で撚られて撚り線となる。
【０１２４】
このとき、第一押出室１１２内に導かれた線材１８Ａ〜Ｃの間には、未加硫ゴム８８が充填され、また、線材１８Ａ〜Ｃの表面には、未加硫ゴム８８が付着される。
【０１２５】
そして、このようにしてゴム被覆された撚り線は、中間ダイス１１０を介して第二押出室１１４に導かれる。
【０１２６】
この第二押出室１１４内に導かれた撚り線には、第二押出室１１４においてさらにゴム被覆が施される。
【０１２７】
つまり、第二押出室１１４内では、撚り線が回転し、この撚り線の表面に形成された螺旋凹凸部分の凹部にねじ作用によって未加硫ゴム８８が入り込むようにして撚り線全体がゴム被覆される。
【０１２８】
本実施形態では、このようにして、撚り点２６よりもボビン１４Ａ〜Ｃ側に位置する複数本の線材１８Ａ〜Ｃにゴム被覆が施されると共に、この複数本の線材１８Ａ〜Ｃが撚り合わされてから撚り線となった後にもこの撚り線に対して連続的にゴム被覆が施されて撚り合わせゴム被覆コード２０が形成される。
【０１２９】
これにより、ゴム被覆が十分に施されたゴム被覆コード２０を確実に形成することが可能となる。
【図面の簡単な説明】
【０１３０】
【図１】図１は本発明の第一実施形態に係る撚り線機の構成を示す正面図である。
【図２】図２は本発明の第一実施形態に係る回転体の構成を示す一部断面を含む図である。
【図３】図３は本発明の第二実施形態に係る撚り線機の構成を示す正面図である。
【図４】図３は本発明の第三実施形態に係る撚り線機の構成を示す正面図である。
【符号の説明】
【０１３１】
１４Ａ〜Ｃ  ボビン（線材保有手段）
１８Ａ〜Ｃ  線材（線材）
２２  撚り線機
２８  ゴム被覆部（被覆手段）
３０  回転体（撚り線形成手段）
５８  引出機構（線材引出手段）
６６  巻回部（平滑化手段）
６８  多段巻きキャプスタン（平滑化手段）
７０  ピンチローラ（平滑化手段）
８８  被覆材（未加硫ゴム）
【図１】
2006291424.tif 000003
【図２】
2006291424.tif 000004
【図３】
2006291424.tif 000005
【図４】
2006291424.tif 000006